(57)【要約】【課題】施錠装置の本体の構造を何ら変更する必要がなく、施解錠表示装置を有していない既存の施錠装置にも、施解錠表示装置を後から簡単に組み込むことができるとともに、容易に取り外すこともでき、しかも構造が簡単な施錠装置における施解錠表示装置を提供する。【解決手段】施錠装置５の本体７に設けたキー挿入孔に挿入したキー１０におけるキー挿入孔への挿入部１０ａを除く部分により、施解錠表示装置１１における移動部材２０を、施錠位置と解錠位置とに移動させるようにする。【選択図】  図２
2011102528.tif 000002
【特許請求の範囲】
【請求項１】
物品収納部を有する筐体と、前記物品収納部を開閉可能として前記筐体に装着した開閉体とのいずれか一方に設けた取付面に本体が取り付けられ、かつ前記本体に設けたキー挿入孔にキーを挿入して回動させることにより、前記本体に設けた係止部材が、前記筐体と前記開閉体とのいずれか他方に係脱することによって、前記開閉体を施錠および解錠しうるようにした施錠装置における施錠状態と解錠状態を表示する装置であって、
前記取付面に着脱自在に取り付けられ、かつ前記キー挿入孔に挿入したキーが回動可能として挿通するキー挿通孔と表示窓とを有するケースと、
前記ケース内に収容され、かつ前記キー挿入孔に挿入したキーの施解錠操作に連動して、施錠位置と解錠位置とに移動させられ、この施錠位置と解錠位置とに移動させられることによって、前記表示窓内の表示を変更するようにした移動部材とを備えていることを特徴とする施錠装置における施解錠表示装置。
【請求項２】
移動部材を、キー挿入孔に挿入したキーにおけるキー挿入孔への挿入部を除く部分に係合し、キーの施解錠操作に連動して、施錠位置と解錠位置とに移動させられるようにした請求項１記載の施錠装置における施解錠表示装置。
【請求項３】
キーが、キー挿入孔への挿入部の基部に、拡幅段部を介して頭部が連設されたものとし、前記拡幅段部が移動部材に係合し、キーの施解錠操作に連動して、移動部材を施錠位置と解錠位置とに移動させるようにした請求項１または２に記載の施錠装置における施解錠表示装置。
【請求項４】
移動部材の一部に、キー挿入孔に挿入したキーにおける挿入部以外の部分が挿通する嵌合孔を設けるとともに、この嵌合孔の内縁に内向き突起を設け、前記キーを回動させることにより、キーにおける挿入部以外の部分が、前記内向き突起に当接して、前記移動部材を、施錠位置と解錠位置とに直線移動させるようにした請求項１〜３のいずれかに記載の施錠装置における施解錠表示装置。
【請求項５】
移動部材が、キー挿入孔に挿入したキーの回動操作と連動して、前記キーを中心に回動するものとし、かつ表示窓を、前記キーを中心とする扇形または円弧状とした請求項１〜４のいずれかに記載の施錠装置における施解錠表示装置。
【請求項６】
物品収納部を有する筐体と、前記物品収納部を開閉可能として前記筐体に装着した開閉体とのいずれか一方に設けた取付面に本体が取り付けられ、かつ前記本体に設けたキー挿入孔にキーを挿入して回動させることにより、前記本体に設けた係止部材が、前記筐体と前記開閉体とのいずれか他方に係脱することによって、前記開閉体を施錠および解錠しうるようにした施錠装置における施錠状態と解錠状態を表示する装置であって、
前記取付面に着脱自在に取り付けられ、かつ前記キー挿入孔に挿入したキーが回動可能として挿通するキー挿通孔と表示窓とを有するケースと、
前記ケース内に収容されるとともに、前記キー挿入孔に挿入した前記キーの施解錠操作によって回動される回動部材と、
前記ケース内に収容され、かつ前記回動部材の回動に連動して、施錠位置と解錠位置とに移動させられ、この施錠位置と解錠位置とに移動させられることによって、前記表示窓内の表示を変更するようにした移動部材とを備えていることを特徴とする施錠装置における施解錠表示装置。
【請求項７】
前記施錠装置の本体を、前記取付面に固着されるシリンダと、前記シリンダ内に回転自在に嵌合されるとともに、その前端部が前記シリンダの前面より前方に突出し、かつ前記キーによって回転駆動されるロータとを有するものとし、前記回動部材を前記ロータの前端部に嵌合したことを特徴とする請求項６記載の施解錠表示装置。
【請求項８】
前記回動部材の外周に前記移動部材に係合する係合突起を設け、この係合突起により前記キーの施解錠操作に連動して、前記移動部材を施錠位置と解錠位置とに移動させるようにした請求項６または７に記載の施錠装置における施解錠表示装置。
【発明の詳細な説明】
【技術分野】
【０００１】
本発明は、施錠装置における施解錠表示装置に係り、特に物品収納庫の施錠装置に適用して好適な施解錠表示装置に関する。
【背景技術】
【０００２】
書類等を収納するキャビネットや収納庫等には、収納されている書類等の盗難や持ち出しを防止するため、施錠装置を設けるのが一般的である。従来、施錠装置が施錠されているか、又は解錠されているかを即座に識別できるようにするため、施錠装置の施錠状態を表示する施解錠表示装置が提案されている（例えば、特許文献１〜３参照）。
【先行技術文献】
【特許文献】
【０００３】
【特許文献１】特開平８−１２８２４３号公報
【特許文献２】特開平９−２５７５１号公報
【特許文献３】実用新案登録第３１２８７９４号公報
【発明の概要】
【発明が解決しようとする課題】
【０００４】
しかし、従来の施錠装置における施解錠表示装置は、施錠装置内に一体として組み込まれており、施解錠表示装置のない施錠装置に、後から施解錠表示装置を組み込むことは不可能もしくはきわめて困難であった。
【０００５】
その理由として、従来の施解錠表示装置付きの施錠装置においては、施解錠表示装置における表示切換手段を、キーシリンダ錠のロータの回動に連動させていたことが挙げられる。
【０００６】
本発明は、上記問題点に鑑みてなされたもので、施錠装置の本体の構造を何ら変更する必要がなく、施解錠表示装置を有していない既存の施錠装置にも、施解錠表示装置を後から簡単に組み込むことができるとともに、容易に取り外すこともでき、しかも構造が簡単な施錠装置における施解錠表示装置を提供することを目的としている。
【課題を解決するための手段】
【０００７】
本発明によると、上記課題は、次のようにして解決される。
（１）物品収納部を有する筐体と、前記物品収納部を開閉可能として前記筐体に装着した開閉体とのいずれか一方に設けた取付面に本体が取り付けられ、かつ前記本体に設けたキー挿入孔にキーを挿入して回動させることにより、前記本体に設けた係止部材が、前記筐体と前記開閉体とのいずれか他方に係脱することによって、前記開閉体を施錠および解錠しうるようにした施錠装置における施錠状態と解錠状態を表示する装置であって、前記取付面に着脱自在に取り付けられ、かつ前記キー挿入孔に挿入したキーが回動可能として挿通するキー挿通孔と表示窓とを有するケースと、前記ケース内に収容され、かつ前記キー挿入孔に挿入したキーの施解錠操作に連動して、施錠位置と解錠位置とに移動させられ、この施錠位置と解錠位置とに移動させられることによって、前記表示窓内の表示を変更するようにした移動部材とを備えるものとする。
【０００８】
このような構成とすると、施解錠表示装置を有していない既存の施錠装置にも、施錠状態か、解錠状態かを明確に視認できる施解錠表示装置を、後から簡単に組み付けることができるとともに、容易に取り外すこともできる。
しかもケースと移動部材との２部材で施解錠表示装置を構成することができるので、部品点数が少なく、構造を簡素化することができる。
【０００９】
（２）上記(１)項において、移動部材を、キー挿入孔に挿入したキーにおけるキー挿入孔への挿入部を除く部分に係合し、キーの施解錠操作に連動して、施錠位置と解錠位置とに移動させられるようにする。
【００１０】
このような構成とすると、キー挿入孔に挿入したキーの挿入部以外の部分によって、直接移動部材が施錠位置と解錠位置とに移動させられるので、施錠装置の本体内の構造と移動部材とを連係させる必要がない。
したがって、施解錠表示装置を有していない既存の施錠装置にも、施錠装置の本体の構造を何ら変更することなく、施解錠表示装置を後から簡単に組み込むことができるとともに、容易に取り外すこともできる。
【００１１】
（３）上記(１)または(２)項において、キーが、キー挿入孔への挿入部の基部に、拡幅段部を介して頭部が連設されたものとし、前記拡幅段部が移動部材に係合し、キーの施解錠操作に連動して、移動部材を施錠位置と解錠位置とに移動させるようにする。
【００１２】
このような構成とすると、キーを特殊な形状のものとする必要がなく、多くの場合、既存のキーをそのまま使用することができる。
【００１３】
（４）上記(１)〜(３)項のいずれかにおいて、移動部材の一部に、キー挿入孔に挿入したキーにおける挿入部以外の部分が挿通する嵌合孔を設けるとともに、この嵌合孔の内縁に内向き突起を設け、前記キーを回動させることにより、キーにおける挿入部以外の部分が、前記内向き突起に当接して、前記移動部材を、施錠位置と解錠位置とに直線移動させるようにする。
【００１４】
このような構成とすると、キーと移動部材との連係機構の構造を簡素化し、安価に製造することができる。
【００１５】
(５) 上記(１)〜(４)項のいずれかにおいて、移動部材が、キー挿入孔に挿入したキーの回動操作と連動して、前記キーを中心に回動するものとし、かつ表示窓を、前記キーを中心とする扇形または円弧状とする。
【００１６】
このような構成とすると、移動部材が回動するタイプの施解錠表示装置を、移動部材が直線移動するタイプの施解錠表示装置を適用できない場所に適用することが可能になるとともに、移動部材を操作部材と一体的に形成することができ、構造を簡素化できる。
【００１７】
(６) 物品収納部を有する筐体と、前記物品収納部を開閉可能として前記筐体に装着した開閉体とのいずれか一方に設けた取付面に本体が取り付けられ、かつ前記本体に設けたキー挿入孔にキーを挿入して回動させることにより、前記本体に設けた係止部材が、前記筐体と前記開閉体とのいずれか他方に係脱することによって、前記開閉体を施錠および解錠しうるようにした施錠装置における施錠状態と解錠状態を表示する装置であって、前記取付面に着脱自在に取り付けられ、かつ前記キー挿入孔に挿入したキーが回動可能として挿通するキー挿通孔と表示窓とを有するケースと、前記ケース内に収容されるとともに、前記キー挿入孔に挿入した前記キーの施解錠操作によって回動される回動部材と、前記ケース内に収容され、かつ前記回動部材の回動に連動して、施錠位置と解錠位置とに移動させられ、この施錠位置と解錠位置とに移動させられることによって、前記表示窓内の表示を変更するようにした移動部材とを備えるものとする。
【００１８】
このような構成とすると、上記(１)項の効果と同様の効果を奏しうるだけでなく、キーの外形が移動部材に係合できない形状である場合でも、キーによって回動部材を回動させ、この回動部材が移動部材に係合して、移動部材を移動させることができる。
【００１９】
(７) 上記(６)項において、前記施錠装置の本体を、前記框体または前記開閉体のいずれか一方に内蔵されるシリンダと、前記シリンダ内に回転自在に嵌合されるとともに、その前端部が若干前方に突出し、かつ前記キーによって回転駆動されるロータとを有するものとし、前記回動部材を、前記ロータの前端部に嵌合する。
【００２０】
このような構成とすると、回動部材を施錠装置のロータの前端部に嵌合させるだけであるから、構成を簡略化できるとともに、回動部材の支持を安定化することができる。
【００２１】
(８) 上記(６)または(７)項において、前記回動部材の外周に前記移動部材に係合する係合突起を設け、この係合突起により、前記キーの施解錠操作に連動して、前記移動部材を施錠位置と解錠位置とに移動させるようにする。
このような構成とすると、回動部材によって移動部材を確実に移動させることができる。
【発明の効果】
【００２２】
本発明によると、施錠装置の本体の構造を何ら変更することなく、施解錠表示装置を有していない既存の施錠装置にも、施解錠表示装置を後から簡単に組み込むことができるとともに、容易に取り外すこともでき、しかも構造が簡単な施錠装置における施解錠表示装置を提供することができる。
【図面の簡単な説明】
【００２３】
【図１】本発明の第１の実施形態を備えるキャビネットの正面図である。
【図２】図１のII−II線に沿う拡大横断平面図である。
【図３】キーの側面図である。
【図４】第１の実施形態の施解錠表示装置の拡大正面図である
【図５】図２のV−V線に沿う縦断正面図である。
【図６】図５図示の状態から、操作部材を９０°回動させたときの状態を示す図５と同様の縦断正面図である。
【図７】図６図示の状態から、操作部材をさらに９０°回動させたときの状態を示す図５と同様の縦断正面図である。
【図８】本発明の第２の実施形態を示す正面図である。
【図９】本発明の第３の実施形態に使用するキーの側面図である。
【図１０】本発明の第３の実施形態の施解錠表示装置の横断平面図である。
【図１１】同じく、分解斜視図である。
【図１２】図１０のXII−XII線に沿う縦断正面図である。
【発明を実施するための形態】
【００２４】
以下、本発明の実施形態を、添付図面に基づいて説明する。
図１〜図７は、本発明の第１の実施形態を示す。
図１に示すように、キャビネット１は、前面が開口する箱状をなし、内部に物品収納部２を有する筐体３と、この筐体３の物品収納部２に前方に引出し可能として装着した開閉体である上中下３段の引出し４とを備えている。４ａは、各引出し４の前面に設けた取手である。
開閉体としては、このような引出し４だけでなく、筐体３の前面に開閉可能として装着した片開き、または両開きの扉等とすることができる。
【００２５】
筐体３の上框３ａの前面中央には、施錠装置５のための取付面３ｂが設けられており、この取付面３ｂには、図２に示すように、施錠装置５の本体であるキーシリンダ錠６のシリンダ７が固着されている。
【００２６】
シリンダ７内には、施錠装置５の操作部材をなすロータ８が、その前端部が若干前方に突出するようにして回転自在に嵌合されている。
ロータ８の前面には、キー挿入孔９が設けられており、このキー挿入孔９にキー１０を挿入して、キー１０とともに、ロータ８を左方向に１８０°回転させることにより、ロータ８の後端に連係した連係機構(図示略)を介して、筐体３内に設けた３個の係止部材(図示略)を、各引出し４に係合させ、全引出し４を施錠することができ、またその施錠状態から、キー１０とともに、ロータ８を右方向に１８０°回転させ、連係機構を介して、各係止部材を、各引出し４から離脱させることにより、解錠することができるようになっている。
なお、連係機構や係止部材は、公知の構成のものでよく、また本発明には直接関係しないので、その図示および詳細な説明は省略する。
【００２７】
キー１０は、図３に示すように、キー挿入孔９に挿入される板状の挿入部１０ａの基部に、両側方に突出する拡幅段部１０ｂ、１０ｃを介して、それよりさらに広幅の頭部１０ｄを連設するものである。
【００２８】
図１〜図５に示すように、筐体３の上框３ａにおける取付面３ｂには、施錠装置５における施錠状態と解錠状態を表示する施解錠表示装置１１が設けられている。
この施解錠表示装置１１は、キー挿入孔９に挿入部１０ａが挿入されたキー１０の拡幅段部１０ｂ、１０ｃが遊通する大径孔１２が設けられ、かつ取付面３ｂに固着されるか、または両面接着テープや永久磁石等(図示略)をもって着脱可能として取り付けられた横長のベース板１３と、ベース板１３の前面に着脱可能として取り付けられ、かつ前面に、キー１０のキー挿入孔９への挿入と回動操作を許容するキー挿通孔１４、および横長の表示窓１５が設けられた後面が開口する横長箱状のケース１６と、ケース１６内に左右方向に摺動可能として収容され、キー１０の施解錠操作に連動して、左限の施錠位置と右限の解錠位置とに移動させられるようにした移動部材２０と、この移動部材２０の左右方向の移動を案内する中仕切２１とを備えている。
【００２９】
ケース１６は、その後端部内面の適所に設けた複数の凹部２２に、ベース板１３の前面における周縁部に前向き突設した複数の弾性係合爪２３を係止させることにより、ベース板１３に着脱可能として取り付けられている。
【００３０】
移動部材２０は、左右方向を向く垂直の薄板部２４と、その左端に連設され、かつ左側部が後方に向かって漸次階段状に後退する段状部２５とからなり、段状部２５の各段の左側前縁には、左方を向く複数の薄板状の表示片２６が設けられている。
【００３１】
薄板部２４には、左右の両側縁２７ａ、２７ｂが上下方向を向く直線状をなし、上縁２７ｃおよび下縁２７ｄの両側部が、円弧状をなすほぼ小判形の嵌合孔２７が設けられており、この嵌合孔２７の上縁２７ｃの中央部には、下方を向く内向き突起２８が設けられている。
【００３２】
嵌合孔２７における左右の両側縁２７ａ、２７ｂ間の間隔、および上縁２７ｃと下縁２７ｄとの間隔は、キー１０における拡幅段部１０ｂ、１０ｃの全幅と同一か、または若干大としてある。
【００３３】
中仕切２１は、表示窓１５を、移動部材２０の移動方向である左右方向に４領域に区分した各領域を遮蔽する複数の遮蔽板２１ａ〜２１ｄと、前面板２１ｅとを、表示窓１５の奥行き方向に階段状をなすようにして、その上下の端部を、上面板および下面板(いずれも図示略)に固着し、この上面板および下面板を、ベース板１３の前面に固着したものよりなっている。
【００３４】
中仕切２１における各遮蔽板２１ａ〜２１ｄと前面板２１ｅとの各段差部には、左方に開口する上下方向に長いスリット状の開口２９が形成され、各開口２９を通して、移動部材２０における各表示片２６が、左方に出没しうるようになっている。
【００３５】
遮蔽板２１ａ〜２１ｄの前面と各表示片２６の前面は、互いに色彩または模様等を異ならせておくのが好ましい。例えば、遮蔽板２１ａ〜２１ｄの前面は、白色等とし、各表示片２６の前面は、赤色等とするのが好ましい。
【００３６】
この実施形態においては、図１〜図５に示す解錠状態では、移動部材２０は、左右方向の移動可能範囲の右限である解錠位置に位置しており、この位置において、ベース板１３または中仕切２１との摩擦により保持されている。
【００３７】
このとき、移動部材２０の各表示片２６は、中仕切２１の各遮蔽板２１ｂ〜２１ｄと前面板２１ｅとによって前面が覆われ、表示窓１５には、４枚の遮蔽板２１ａ〜２１ｄの前面が前方に露呈し、表示窓１５内は、例えばすべて白色となっている。またこのとき、施錠装置５は、解錠状態にあり、いずれの引出し４をも自由に引き出せることは言うまでもない。
【００３８】
この状態で、ロータ８のキー挿入孔９に、キー１０の挿入部１０ａを、拡幅段部１０ｂ、１０ｃがロータ８の前面に当接するまで挿入すると、図５に示すように、キー１０における上方となった拡幅段部１０ｂの右側方に、移動部材２０における内向き突起２８が位置する。
【００３９】
この状態から、キー１０によりロータ８を左方向に９０°回転させると、キー１０の上側の拡幅段部１０ｂの先端が、嵌合孔２７の左方の側縁２７ａを左方に押動して、移動部材２０は、図６に示すように、解錠位置と施錠位置との中間位置まで移動させられる。
【００４０】
このとき、移動部材２０における各表示片２６の左端部は、中仕切２１の各遮蔽板２１ａ〜２１ｄと前面板２１ｅとの段差部の各開口２９から、ほぼ半ストローク分だけ左方に突出する。
【００４１】
図６に示す状態から、キー１０およびロータ８を左方向にさらに９０°回転させると、その最後のストローク部分で、キー１０の他方の拡幅段部１０ｃが、移動部材２０における内向き突起２８を左方に押動し、移動部材２０は、図７に示すように、施錠位置まで移動させられ、それによって、上述したように、各引出し４はすべて施錠させられ、同時に、各表示片２６が中仕切２１の各遮蔽板２１ａ〜２１ｄと前面板２１ｅとの段差部の各開口２９から、全ストローク分だけ左方に突出し、解錠状態において表示窓１５に露呈していたすべての遮蔽板２１ａ〜２１ｄの前面は、各表示片２６によって覆われ、表示窓１５には、各表示片２６の前面のみが露呈し、表示窓１５内は、例えばすべて赤色等に変化する。
【００４２】
移動部材２０の解錠位置から施錠位置までの移動ストロークは、この例では、内向き突起２８の左右幅と、キー１０の拡幅段部１０ｂ、１０ｃの厚さとの和となり、それに対して、表示窓１５の左右方向の寸法は、概ね、移動部材２０のこの移動ストローク×表示片２６の枚数とすることができ、ひいては、キー１０の移動ストロークに対して、表示窓１５の表示面積を著しく大とすることができる。したがって、施解錠表示装置１１から遠く離れた場所からでも、施錠状態であるか解錠状態であるかを、確実に視認することができる。
【００４３】
図７に示す施錠状態から、キー１０とともに、ロータ８を右方向に１８０°回転させることにより、図５に示す元の解錠状態に戻すことができる。このときの作用は、上述の解錠状態から施錠状態にするときの作用と左右の方向性が反転するだけで、同様である。すなわち、上方となったキー１０の拡幅段部１０ｃで、嵌合孔２７の右方の側縁２７ｂを右方に押動して、移動部材２０を、図６に示す中間位置まで移動させ、キー１０の最後の回動ストロークで、その拡幅段部１０ｂにより、移動部材２０における内向き突起２８を右方に押動して、移動部材２０を解錠状態に復帰させる。この時、表示窓１５には、４枚の遮蔽板２１ａ〜２１ｄの前面が前方に露呈し、例えばすべて白色となる。
【００４４】
第１の実施形態は、移動部材２０が左右方向に直線移動するようにしたものであるが、例えば、図８に示す第２の実施形態のように、ケース１６’の表示窓１５’、移動部材２０’、中仕切２１’等を、すべてロータ８を中心とする円弧状または扇形に形成するとともに、移動部材２０’に、キー１０の拡幅段部１０ｂ、１０ｃが挿入しうるようにしたキー挿入孔２０ａ’を設け、このキー挿入孔２０ａ’とロータ８のキー挿入孔９とに挿入したキー１０とともに、ロータ８と移動部材２０’とが、解錠位置から施錠位置、またはその逆方向に回動させられ、それとともに、円弧状とした移動部材２０’の３枚の表示片２６’が、中仕切２１’における各遮蔽板２１ａ’〜２１ｃ’の段差部から左方に出没して、表示窓１５’内の色彩や模様を変化させるようにしてもよい。
【００４５】
また、第１の実施形態は、本発明を拡幅段部１０ｂ、１０ｃを有するキー１０(図３参照)を用いる施錠装置５に適用したものであるが、本発明は、次に説明する第３の実施形態のように、拡幅段部がないキー３０を用いる施錠装置に適用することもできる。なお、以下の説明では、第１の実施形態と同様の部分には同一の符号を付けて、その説明を省略する。
【００４６】
この第３実施形態において使用するキー３０は、図９に示すように、挿入部３０ａと、頭部３０ｂとの間に、図３に示す拡幅段部１０ｂ、１０ｃのような段部がないストレートタイプのものである。図１０に示すように、筐体３の取付面３ｂには、施錠装置３１の本体であるキーシリンダ錠３２のシリンダ３３が固着されている。シリンダ３３内には、施錠装置３１のロータ３４が、その前端部３４ａを若干前方に突出させるようにして回転自在に嵌合されている。
【００４７】
ロータ３４の前面には、キー挿入孔３５が設けられている。このキー挿入孔３５にキー３０を挿入してキー３０とともに、ロータ３４を左方向または右方向に１８０°回転させることにより、ロータ３４の後端に連係した連係機構（図示略）を介して、筐体３に設けた全引出し４(図１参照)を施錠または解錠させることができる。
【００４８】
筐体３の上框３ａ（図１参照）における取付面３ｂには、施錠装置３１における施錠状態と解錠状態を表示する施解錠表示装置３６が設けられている。図１０は、施解錠表示装置３６が施錠状態を表示している。
【００４９】
この施解錠表示装置３６は、ロータ３４の前端部３４ａが遊通する大径孔１２が設けられ、かつ取付面３ｂに固着されるか、または両面接着テープや永久磁石等(図示略)をもって着脱可能として取り付けられた横長のベース板１３と、前面にキー挿入孔３７を有するとともに、ロータ３４の前端部３４ａに嵌着されたキャップ状の回動部材３８と、横長の表示窓３９を有するとともに後面が開口し、かつ前面が平面視において比較的大きな曲率半径で前方に突出する凸状に湾曲したケース(収容部)４０とを備えている。ケース４０の表示窓３９には、ケース４０における前面の湾曲形状に整合する透明板４１が設けられている。
【００５０】
また、この施解錠表示装置３６は、ケース４０内に左右方向に摺動可能として収容され、回動部材３８の回動に連動して左限の施錠位置と右限の解錠位置とに移動させられるようにした移動部材４２と、この移動部材４２の左右方向の移動を案内する中仕切２１とを備えている。
【００５１】
次に、上記各構成要素について、更に詳細に説明する。ベース板１３の左右両端部には、図１１に示すように、前向突条４３が設けられている。ケース４０は、その左右両端部４０ａをベース板１３の前向突条４３の外側に嵌合させることにより、ベース板１３に着脱自在に取付けられている。ベース板１３には、中仕切り２１が一体化されている。
【００５２】
回動部材３８は、キー挿入孔３７が設けられた前板部４４と、この前板部４４の後面側に設けられた拡径部４５とによってキャップ状に形成されている。キー挿入孔３７は、ロータ３４のキー挿入孔３５と同一形状である。拡径部４５の外周には、互いに１８０度離れた位置に係合突起としての外向き突起４６、４７が設けられている。
【００５３】
この回動部材３８は、図１０に示すように、ロータ３４の前端部３４ａに嵌着されているが、遊嵌することもできる。但し、遊嵌した場合は、回動部材３８の前板部４４の内端面とロータ３４の前端面との間に、ゴム板等の摩擦部材を挟むことにより、回動部材３８の回り止めをするのが望ましい。
【００５４】
ケース４０は、左右の長さの中心より左側に、上記表示窓３９が設けられ、中心より僅かに右側に、前面から後面にかけて徐々に小径となる筒状部４８が設けられている。この筒状部４８の後端には、キー３０のキー挿通孔３７およびキー挿入孔３５への挿入と回動操作を許容するキー挿通孔４９が設けられている。筒状部４８の後端面を、回動部材３８における拡径部４５の前面に僅かな隙間を空けて接近させることにより、回動部材３８の回動を許容し、かつその脱落を防止している。
【００５５】
移動部材４２は、左右方向を向く垂直の薄板部５０と、その左端に連設され、左方を向く複数の表示片５１とを有している。各表示片５１は、前方への突出量、すなわち奥行きが異なる逆Ｌ字状をなし、右側の表示片５１から左側の表示片５１にかけてその奥行きが徐々に低くなっている。これにより、各表示片５１は、左側のものほど後方に向かって暫時階段状に後退している。また、各表示片５１の前面は、遮蔽板２１ａ〜２１ｄ、および前面板２１ｅと異なる色、例えば赤色となっている。
【００５６】
移動部材４２の薄板部５０には、図１１に示すように、左右の両側縁５２ａ、５２ｂが上下方向を向く直線状をなし、上縁５２ｃおよび下縁５２ｄの両側部が、円弧状をなすほぼ小判形の嵌合孔５２が設けられている。この嵌合孔５２の上縁５２ｃの中央部には、下方を向く内向き突起５３が設けられている。
【００５７】
嵌合孔５２における左右の両側縁５２ａ、５２ｂ間の間隔、および上縁５２ｃと下縁５２ｄとの間隔は、回動部材３８における外向き突起４６、４７の先端間の間隔と同一か、または若干大としてある。
【００５８】
次に、施解錠表示装置３６による施錠状態、および解錠状態の表示方法について説明する。なお、第１の実施形態では、キー１０の拡幅段部１０ｃ、１０ｄによって移動部材２１を左右に移動させたが、第３の実施形態では、キー３０によって回動部材３８を回動させ、この回動部材３８の外向き突起４６、４７によって移動部材４２を左右に移動させるものであり、移動部材４２の左右への移動による施錠状態および解錠状態の表示作用は、第１の実施形態における移動部材２０の左右への移動による表示作用と同様である。
【００５９】
図１０に示す施錠状態では、移動部材４２は、左右方向の移動可能範囲の左限である施錠位置に位置しており、この位置において、ベース板１３または中仕切２１との摩擦により、保持されている。
【００６０】
このとき、移動部材４２の各表示片５１は、図１２に示すように、中仕切２１の各遮蔽板２１ａ〜２１ｄと前面板２１ｅとの段差部の各開口２９から、全ストローク分だけ左方に突出し、すべての遮蔽板２１ａ〜２１ｄの前面は、各表示片５１によって覆われている。そして、表示窓３９(図１０参照)には、各表示片５１の前面のみが露呈し、表示窓３９内は、例えばすべて赤色となっている。このとき、施錠装置３１は、施錠状態にあり、いずれの引出し４(図１参照)も引き出すことはできない。
【００６１】
また、このときには、ロータ３４の前端部３４ａに嵌着された回動部材３８は、移動部材４２の嵌合孔５２内に嵌合され、回動部材３８の両外向き突起４６、４７は上下に位置し、かつ上方の外向き突起４６が嵌合孔５２内の内向き突起５３の右側縁に当接している。
【００６２】
この施錠状態から解錠状態にする場合は、まず回動部材３８のキー挿入孔３７を通して、ロータ３４のキー挿入孔３５に、キー３０の挿入部３０ａ(図９参照)を突き当たるまで挿入する。なお、回動部材３８をロータ３４の前端部３４ａに遊嵌した場合は、回動部材３８のキー挿入孔３７が、ロータ３４のキー挿入孔３５と整合していないこともあり得る。この場合には、回動部材３８を手で、またはキー３０を用いて回転させ、回動部材３８のキー挿入孔３７をロータ３４のキー挿入孔３５に整合させてから、キー３０を挿入する。
【００６３】
キー３０をキー挿入孔３５、３７に挿入した後、キー３０とともに、回動部材３８およびロータ３４を右方向に９０°回転させることにより、回動部材３８の上方の外向き突起４６が、嵌合孔５２の右方の側縁５２ｂを右方に押動して、移動部材４２は施錠位置と解錠位置との中間位置まで移動させられる。このとき、各表示片５１は、第１の実施形態における図６の各表示片２６と同様の表示状態になる。
【００６４】
キー３０を右方向にさらに９０°回転させると、回動部材３８の他方の外向き突起４７が、図１２中の上側にきて移動部材４２における内向き突起４６を右方に押動し、移動部材４２は、解錠位置まで移動させられる。また、各引出し４はすべて解錠され、同時に各表示片５１は、すべての遮蔽板２１ａ〜２１ｄと前面板２１ｅとの後方に収容される。そして、表示窓３９(図１０参照)には、第１の実施形態の図５と同様に、４枚の遮蔽板２１ａ〜２１ｄの前面が前方に露呈し、例えばすべて白色となる。
解錠状態から施錠状態にする場合には、第１の実施形態と同様に、キー３０を左方向に１８０°回転させればよい。
【００６５】
第３の実施形態によれば、拡幅段部のないキー３０を用いて、ロータ３４の前端部３４ａに嵌合した回動部材３８をロータ３４と一体として回動させることにより、移動部材４２を左右に移動させて施錠状態および解錠状態を表示できるので、拡幅段部のないキーを用いる施錠装置に好適に適用できる。また、回動部材３８は、ロータ３４の前端部３４ａに嵌合させるだけでよいので、構成を簡略化できる。さらに、回動部材３８の外周に外向き突起４６、４７を設け、この外向き突起４６，４７を移動部材４２に係合させて、キー３０の施解錠操作と連動して、移動部材４２を施錠位置と解錠位置とに移動させるので、移動部材４２を確実に移動させることができる。
【００６６】
なお、回動部材３８は、透明な樹脂によって構成するのが好ましい。これにより、シリンダに公知の施解錠表示装置が組み込まれている場合においても、第３の実施形態の施解錠表示装置と既設の施解錠表示装置とを簡単に同期させることができる。また、一般的にシリンダ前面には、施錠番号が記載されていることが多いが、第３の実施形態の施解錠表示装置を取り付けた状態においても、回動部材３８を通して錠前番号を視認することができる。
【００６７】
本発明は、上記実施形態のみに限定されるものではなく、特許請求の範囲を逸脱することなく、例えば、次のような幾多の変形した態様での実施が可能である。
(１)  施錠装置の本体であるキーシリンダ錠のシリンダ７、３３および施解錠表示装置１１、３６を、開閉体である引出し４の前面、または扉の前面等に取り付け、キーによって操作されるロータ８、３４の回転により、係止部材が、筐体３に係脱することによって、引出し４または扉等を施錠または解錠しうるようにする。
(２)  表示片２６、５１の枚数を、１枚または２枚以上の任意のものとする。この枚数を増やすことにより、表示窓１５、３９の面積を大とすることができる。
(３)  表示片２６、５１を省略し、移動部材２０、４２が解錠位置の時は、例えば白色とした移動部材２０、４２の一部が表示窓１５、３９から露呈し、移動部材２０、４２が施錠位置の時は、例えば赤色とした移動部材２０、４２の他部が表示窓１５、３９から露呈するようにする。
(４)  第２の実施形態において、移動部材２０’をロータ８を中心として回動しうるようにするとともに、キー１０と移動部材２０’との関係を、第１の実施形態のものと同様とする。すなわち、キー１０が、１８０°回転させられることにより、そのときのキー１０の拡幅段部１０ｂ、１０ｃによって内向き突起２８が回動させられる分だけ、移動部材２０’が回動させられるようにする。
【符号の説明】
【００６８】
１  キャビネット
２  物品収納部
３  筐体
３ａ  上框
３ｂ  取付面
４  引出し(開閉体)
４ａ  取手
５  施錠装置
６  キーシリンダ錠
７  シリンダ(本体)
８  ロータ(操作部材)
９  キー挿入孔
１０  キー
１０ａ  挿入部
１０ｂ、１０ｃ  拡幅段部
１０ｄ  頭部
１１  施解錠表示装置
１２  大径孔
１３  ベース板
１４  キー挿通孔
１５  表示窓
１６  ケース
２０  移動部材
２１  中仕切
２１ａ〜２１ｄ  遮蔽板
２１ｅ  前面板
２２  凹部
２３  弾性係合爪
２４  薄板部
２５  段状部
２６  表示片
２７  嵌合孔
２７ａ、２７ｂ  側縁
２７ｃ  上縁
２７ｄ  下縁
２８  内向き突起
２９  開口
３０  キー
３０ａ  挿入部
３０ｂ  頭部
３１  施錠装置
３２  キーシリンダ錠
３３  シリンダ
３４  ロータ（操作部材）
３５  キー挿入孔
３６  施解錠表示装置
３７  キー挿入孔
４３  前向突条
４４  前板部
４５  拡径部
４６、４７  外向き突起(係合突起)
４８  筒状部
４９  キー挿通孔
５０  薄板部
５１  表示片
５２  嵌合孔
５２ａ、５２ｂ  側縁
５２ｃ  上縁
５２ｄ  下縁
５３  内向き突起
【図１】
2011102528.tif 000003
【図２】
2011102528.tif 000004
【図３】
2011102528.tif 000005
【図４】
2011102528.tif 000006
【図５】
2011102528.tif 000007
【図６】
2011102528.tif 000008
【図７】
2011102528.tif 000009
【図８】
2011102528.tif 000010
【図９】
2011102528.tif 000011
【図１０】
2011102528.tif 000012
【図１１】
2011102528.tif 000013
【図１２】
2011102528.tif 000014